(57)【特許請求の範囲】
【請求項１】
異種通信システム間のサービスインターワーキングのためのシステムであって、
第１の移動局をサービスする第１のシステムと、
第２の移動局をサービスする第２のシステムと、
を備え、
前記第１のシステムと前記第２のシステムとの間にダウンリンク領域とアップリンク領域に区分されるフレームを用いてサービスを提供し、前記ダウンリンク領域は、前記第１のシステムの第１のダウンリンク割り当て領域及び前記第２のシステムの第２のダウンリンク割り当て領域に時分割区分され、前記アップリンク領域は、前記第１のシステムの第１のアップリンク割り当て領域及び前記第２のシステムの第２のアップリンク割り当て領域に周波数分割区分されることを特徴とするシステム。
【請求項２】
前記第１の移動局は、前記第１のシステムから前記第１のダウンリンク割り当て領域を通じて提供される第１のダウンリンクＭＡＰメッセージ及び第１のアップリンクＭＡＰメッセージを復調及び復号し、それによって前記第１のダウンリンク割り当て領域に割り当てられたデータバーストを復調及び復号し、前記第１のアップリンク割り当て領域を認識し、
前記第２の移動局は、前記第２のシステムの前記第２のダウンリンク割り当て領域を通じて提供される第２のダウンリンクＭＡＰメッセージ及び第２のアップリンクＭＡＰメッセージを復調及び復号することを特徴とする請求項１に記載のシステム。
【請求項３】
前記第１のシステムは、ＩＥＥＥ８０２.１６ｅベースの通信システム、ＷｉＢｒｏ(Wireless Broadband)通信システム、及びＷｉＭＡＸ(Worldwide Interoperability for Microwave Access)通信システムのうちいずれか一つで構成され、前記第２のシステムは、ＩＥＥＥ８０２.１６ｍベースの通信システムで構成されることを特徴とする請求項１に記載のシステム。
【請求項４】
前記第２の移動局は、前記第２のダウンリンクＭＡＰメッセージを復調及び復号し、それによって前記第２のシステムの前記第２のダウンリンク割り当て領域に割り当てられたデータバーストを復調及び復号することを特徴とする請求項２に記載のシステム。
【請求項５】
前記第２の移動局は、前記第２のアップリンクＭＡＰメッセージを復調及び復号し、それによって前記第２のシステムの第２のアップリンク割り当て領域に割り当てられたデータバーストを認識することを特徴とする請求項２に記載のシステム。
【請求項６】
前記第２のダウンリンク割り当て領域は、予め定められた位置内に前記第２のシステムのためのダウンリンクＭＡＰメッセージ及びアップリンクＭＡＰメッセージを含むことを特徴とする請求項１に記載のシステム。
【請求項７】
第１及び第２のシステムを含む異種通信システム間のサービスインターワーキングにより前記第２のシステムに属する移動局のデータバーストを送受信する方法であって、
前記第２のシステムのための放送情報領域を通じて受信された放送メッセージを復調及び復号するステップと、
前記復調及び復号された放送メッセージに対応してダウンリンクデータバーストを復調及び復号し、割り当てられたアップリンク領域を通じてアップリンクデータバーストを送信するステップと、を有し、
前記第１のシステムと前記第２のシステムとの間にダウンリンク領域とアップリンク領域に区分されるフレームを用いてサービスを提供し、前記ダウンリンク領域は、前記第１のシステムの第１のダウンリンク割り当て領域及び前記第２のシステムの第２のダウンリンク割り当て領域に時分割区分され、前記アップリンク領域は、前記第１のシステムの第１のアップリンク割り当て領域及び前記第２のシステムの第２のアップリンク割り当て領域に周波数分割区分される ことを特徴とする方法。
【請求項８】
前記第１のシステムはＩＥＥＥ８０２.１６ｅベースの通信システム、ＷｉＢｒｏ(Wireless Broadband)通信システム、及びモバイルＷｉＭＡＸ(Worldwide  Interoperability for Microwave Access)通信システムのうちいずれか一つで構成され、前記第２のシステムはＩＥＥＥ８０２.１６ｍベースの通信システムで構成されることを特徴とする請求項７に記載の方法。
【請求項９】
前記放送メッセージは、前記第２のシステムのためのアップリンク及びダウンリンクリソース割り当て情報を含むことを特徴とする請求項７に記載の方法。
【請求項１０】
前記放送メッセージは、前記第２のシステムのための前記第２のダウンリンク割り当て領域内で送信される、ダウンリンクＭＡＰメッセージ及びアップリンクＭＡＰメッセージを含むことを特徴とする請求項７に記載の方法。
【請求項１１】
前記ダウンリンクＭＡＰメッセージは、前記第２のシステムのための前記第２のダウンリンク割り当て領域内で前記端末に割り当てられた少なくとも一つのデータバーストを指示することを特徴とする請求項１０に記載の方法。
【請求項１２】
前記アップリンクＭＡＰメッセージは、前記第２のシステムのための前記第２のアップリンク割り当て領域内で前記端末に割り当てられた少なくとも一つのデータバーストを指示することを特徴とする請求項１０に記載の方法。
【請求項１３】
前記第２のダウンリンク割り当て領域は、予め定められた位置内に前記第２のシステムのためのダウンリンクＭＡＰメッセージ及びアップリンクＭＡＰメッセージを含むことを特徴とする請求項７に記載の方法。
【請求項１４】
第１及び第２のシステムを含む異種通信システム間のサービスインターワーキングによる基地局のデータバースト送受信方法であって、
ダウンリンク領域とアップリンク領域に区分されるフレームを用いて前記第１及び第２のシステムのうちの一つに各々属する少なくとも一つの端末と通信するステップを含み、
前記ダウンリンク領域は、前記第１のシステムのための第１のダウンリンク割り当て領域及び前記第２のシステムのための第２のダウンリンク割り当て領域に時分割区分され、前記アップリンク領域は、前記第１のシステムのための第１のアップリンク割り当て領域及び前記第２のシステムのための第２のアップリンク割り当て領域に周波数分割区分されることを特徴とする方法。
【請求項１５】
前記第１のダウンリンク割り当て領域は、前記第１のダウンリンク割り当て領域及び前記第１のアップリンク割り当て領域内に割り当てられ、前記第１のシステムに属した第１の端末のための少なくとも一つのデータバーストを指示する第１のダウンリンクＭＡＰメッセージ及び第１のアップリンクＭＡＰメッセージを提供し、
前記第２のダウンリンク割り当て領域は、前記第２のダウンリンク割り当て領域及び前記第２のアップリンク割り当て領域内に割り当てられ、前記第２のシステムに属した第２の端末のための少なくとも一つのデータバーストを指示する第２のダウンリンクＭＡＰメッセージ及び第２のアップリンクＭＡＰメッセージを提供することを特徴とする請求項１４に記載の方法。
【請求項１６】
前記第１のシステムは、ＩＥＥＥ８０２.１６ｅベースの通信システム、ＷｉＢｒｏ(Wireless Broadband)通信システム及びＷｉＭＡＸ(Worldwide Interoperability for Microwave Access)通信システムのうちいずれか一つで構成され、前記第２のシステムは、ＩＥＥＥ８０２.１６ｍベース通信システムであることを特徴とする請求項１４に記載の方法。
【請求項１７】
前記第２のダウンリンク割り当て領域は、予め定められた位置内にダウンリンクＭＡＰメッセージ及びアップリンクＭＡＰメッセージを含むことを特徴とする請求項１４に記載の方法。
【請求項１８】
第１及び第２のシステムを含む異種通信システム間のサービスインターワーキングによってデータバーストを送受信する移動局内の装置であって、
ダウンリンク領域とアップリンク領域に区分されるフレームを用いて基地局と通信する送受信器を含み、
前記ダウンリンク領域は、前記第１のシステムのための第１のダウンリンク割り当て領域及び前記第２のシステムのための第２のダウンリンク割り当て領域に時分割区分され、前記アップリンク領域は、前記第１のシステムのための第１のアップリンク割り当て領域及び前記第２のシステムのための第２のアップリンク割り当て領域に周波数分割区分されることを特徴とする装置。
【請求項１９】
前記第１のダウンリンク割り当て領域は、前記第１のダウンリンク割り当て領域及び前記第１のアップリンク割り当て領域内に割り当てられ、前記第１のシステムに属した第１の端末のための少なくとも一つのデータバーストを指示する第１のダウンリンクＭＡＰメッセージ及び第１のアップリンクＭＡＰメッセージを提供し、
前記第２のダウンリンク割り当て領域は、前記第２のダウンリンク割り当て領域及び前記第２のアップリンク割り当て領域内に割り当てられ、前記第２のシステムに属した第２の端末のための少なくとも一つのデータバーストを指示する第２のダウンリンクＭＡＰメッセージ及び第２のアップリンクＭＡＰメッセージを提供することを特徴とする請求項１８に記載の装置。
【請求項２０】
前記第１のシステムは、ＩＥＥＥ８０２.１６ｅベースの通信システム、ＷｉＢｒｏ(Wireless Broadband)通信システム及びＷｉＭＡＸ(Worldwide Interoperability for Microwave Access)通信システムのうちいずれか一つで構成され、前記第２のシステムは、ＩＥＥＥ８０２.１６ｍベース通信システムであることを特徴とする請求項１８に記載の装置。
【請求項２１】
前記第２のダウンリンク割り当て領域は、予め定められた位置内にダウンリンクＭＡＰメッセージ及びアップリンクＭＡＰメッセージを含むことを特徴とする請求項１８に記載の装置。
【請求項２２】
第１及び第２のシステムを含む異種通信システム間のサービスインターワーキングによってデータバーストを送受信する基地局内の装置であって、
ダウンリンク領域とアップリンク領域に区分されるフレームを用いて前記第１及び第２のシステムのうちの一つに各々属する少なくとも一つの端末と通信する送受信器を含み、
前記ダウンリンク領域は、前記第１のシステムのための第１のダウンリンク割り当て領域及び前記第２のシステムのための第２のダウンリンク割り当て領域に時分割区分され、前記アップリンク領域は、前記第１のシステムのための第１のアップリンク割り当て領域及び前記第２のシステムのための第２のアップリンク割り当て領域に周波数分割区分されることを特徴とする装置。
【請求項２３】
前記第１のダウンリンク割り当て領域は、前記第１のダウンリンク割り当て領域及び前記第１のアップリンク割り当て領域内に割り当てられ、前記第１のシステムに属した第１の端末のための少なくとも一つのデータバーストを指示する第１のダウンリンクＭＡＰメッセージ及び第１のアップリンクＭＡＰメッセージを提供し、
前記第２のダウンリンク割り当て領域は、前記第２のダウンリンク割り当て領域及び前記第２のアップリンク割り当て領域内に割り当てられ、前記第２のシステムに属した第２の端末のための少なくとも一つのデータバーストを指示する第２のダウンリンクＭＡＰメッセージ及び第２のアップリンクＭＡＰメッセージを提供することを特徴とする請求項２２に記載の装置。
【請求項２４】
前記第１のシステムは、ＩＥＥＥ８０２.１６ｅベースの通信システム、ＷｉＢｒｏ(Wireless Broadband)通信システム及びＷｉＭＡＸ(Worldwide Interoperability for Microwave Access)通信システムのうちいずれか一つで構成され、前記第２のシステムは、ＩＥＥＥ８０２.１６ｍベース通信システムであることを特徴とする請求項２２に記載の装置。
【請求項２５】
前記第２のダウンリンク割り当て領域は、予め定められた位置内にダウンリンクＭＡＰメッセージ及びアップリンクＭＡＰメッセージを含むことを特徴とする請求項２２に記載の装置。
【発明の詳細な説明】
【技術分野】
【０００１】
本発明は、移動通信システムに関するもので、特に移動通信システムにおける異種(heterogeneous)通信システム間のサービスインターワーキング(interworking)のためのシステム及び方法に関する。
【背景技術】
【０００２】
移動通信システムは、放送、マルチメディアイメージ、マルチメディアメッセージのように、多様なサービスが提供可能なシステムの形態に発展している。特に、第４世代移動通信システムは、音声及びパケットデータ通信中心のサービスから外れて、高速移動ユーザーには１００Ｍｂｐｓ以上のデータ伝送速度のデータサービスで提供され、低速移動ユーザーには１Ｇｂｐｓ以上のデータ伝送速度のデータサービスで提供されるように開発されている。
【０００３】
第４世代移動通信システムに近接したシステムは、携帯インターネットシステムを含む。この携帯インターネットシステムは、ＷｉＢｒｏ(Wireless  Broadband)通信システムとも呼ばれており、ＩＥＥＥ(Institute  of  Electrical  and  Electronics  Engineers)８０１.１６ｅに基づいた通信システムと交換性がある。
【０００４】
ＷｉＢｒｏ通信システムは、一部の国家で商品化され、あるいは商品化のための開発状態にあり、ＷｉＢｒｏ通信システムをＷｉＢｒｏ進化通信システムに発展させるための研究が行われている。ＷｉＢｒｏ進化通信システムは、時間当り３００ｋｍまでの移動性支援、可変帯域幅支援、及びオーバーヘッド(overhead)最小化などを目標とする。このＷｉＢｒｏ進化通信システムの一例としては、ＩＥＥＥ８０２.１６ｍに基づいた通信システムがある。
【０００５】
ＷｉＢｒｏ進化通信システムは、ＷｉＢｒｏ通信システムでは使用されていない進化した技術を採用しようとする。このような進化した技術は、多重アンテナ技術、ＩＰｖ６技術、マルチキャスト/ブロードキャストサービス技術などを含む。
【０００６】
ＷｉＢｒｏ進化通信システムが実現されると仮定すれば、ＷｉＢｒｏ通信システムは、ＷｉＢｒｏ進化通信システムとインターワーキングされなければならないことは自明である。しかしながら、ＷｉＢｒｏ通信システム及びＷｉＢｒｏ進化通信システムは、相互に異なるサブチャンネル構造又は相互に異なる信号フォーマットを有する可能性がある。これは、ＷｉＢｒｏ通信システムとＷｉＢｒｏ進化通信システムが相互異種であることを意味する。したがって、ＷｉＢｒｏ通信システムとＷｉＢｒｏ進化通信システムが特定の通信システムに共存する場合に、ＷｉＢｒｏ通信システムとＷｉＢｒｏ進化通信システムとの間のインターワーキング問題を解決するための具体的な方案が定義されなければならない。
【発明の概要】
【発明が解決しようとする課題】
【０００７】
したがって、本発明は上記した従来技術の問題点を解決するためになされたものであって、その目的は、異種通信システム間のサービスインターワーキングを支援するシステム及び方法を提供することにある。
【課題を解決するための手段】
【０００８】
上記のような目的を達成するために、本発明の一態様によれば、異種通信システム間のサービスインターワーキングのためのシステムであって、第１の移動局をサービスする第１のシステムと、第２の移動局をサービスする第２のシステムとから構成され、第１のシステムと第２のシステムとの間にダウンリンク領域とアップリンク領域に区分されるフレームを用いてサービスを提供し、ダウンリンク領域は、第１のシステムの第１のダウンリンク割り当て領域及び第２のシステムの第２のダウンリンク割り当て領域に時分割区分され、アップリンク領域は、第１のシステムの第１のアップリンク割り当て領域及び第２のシステムの第２のアップリンク割り当て領域に周波数分割区分されることを特徴とする。
【０００９】
また、本発明の他の態様によれば、第１及び第２のシステムを含む異種通信システム間のサービスインターワーキングにより第２のシステムに属する移動局のデータバーストを送受信する方法であって、第２のシステムのための放送情報領域を通じて受信された放送メッセージを復調及び復号するステップと、復調及び復号された放送メッセージに対応してダウンリンクデータバーストを復調及び復号し、割り当てられたアップリンク領域を通じてアップリンクデータバーストを送信するステップと、を有し、第１のシステムと第２のシステムとの間にダウンリンク領域とアップリンク領域に区分されるフレームを用いてサービスを提供し、ダウンリンク領域は、第１のシステムの第１のダウンリンク割り当て領域及び第２のシステムの第２のダウンリンク割り当て領域に時分割区分され、アップリンク領域は、第１のシステムの第１のアップリンク割り当て領域及び第２のシステムの第２のアップリンク割り当て領域に周波数分割区分されることを特徴とする。
【００１０】
さらに、本発明の他の態様によれば、第１及び第２のシステムを含む異種通信システム間のサービスインターワーキングによる基地局のデータバースト送受信方法であって、ダウンリンク領域とアップリンク領域に区分されるフレームを用いて前記第１及び第２のシステムのうちの一つに各々属する少なくとも一つの端末と通信するステップを含み、前記ダウンリンク領域は、前記第１のシステムのための第１のダウンリンク割り当て領域及び前記第２のシステムのための第２のダウンリンク割り当て領域に時分割区分され、前記アップリンク領域は、前記第１のシステムのための第１のアップリンク割り当て領域及び前記第２のシステムのための第２のアップリンク割り当て領域に周波数分割区分されることを特徴とする。
【００１１】
さらに、本発明の他の態様によれば、第１及び第２のシステムを含む異種通信システム間のサービスインターワーキングによってデータバーストを送受信する移動局内の装置であって、ダウンリンク領域とアップリンク領域に区分されるフレームを用いて基地局と通信する送受信器を含み、
前記ダウンリンク領域は、前記第１のシステムのための第１のダウンリンク割り当て領域及び前記第２のシステムのための第２のダウンリンク割り当て領域に時分割区分され、前記アップリンク領域は、前記第１のシステムのための第１のアップリンク割り当て領域及び前記第２のシステムのための第２のアップリンク割り当て領域に周波数分割区分されることを特徴とする。
【００１２】
さらに、本発明の他の態様によれば、第１及び第２のシステムを含む異種通信システム間のサービスインターワーキングによってデータバーストを送受信する基地局内の装置であって、ダウンリンク領域とアップリンク領域に区分されるフレームを用いて第１及び第２のシステムのうちの一つに各々属する少なくとも一つの端末と通信する送受信器を含み、ダウンリンク領域は、第１のシステムのための第１のダウンリンク割り当て領域及び第２のシステムのための第２のダウンリンク割り当て領域に時分割区分され、アップリンク領域は、第１のシステムのための第１のアップリンク割り当て領域及び第２のシステムのための第２のアップリンク割り当て領域に周波数分割区分されることを特徴とする。
【発明の効果】
【００１３】
本発明は、既存の通信システムと進化した通信システムとの間のサービスインターワーキングをフレーム構造を用いて提供することができる。
【図面の簡単な説明】
【００１４】
【図１】本発明による異種通信システム間のサービスインターワーキングを支援するためのフレーム構造を論理的に示す図である。
【図２】本発明によるフレームにおけるデータバースト割り当ての指示方法を示す図である。
【図３】本発明によるフレームにおけるデータバースト割り当ての指示方法を示す図である。
【図４Ａ】本発明による短い待ち時間を支援するためのフレーム構造を示す図である。
【図４Ｂ】本発明による短い待ち時間を支援するためのフレーム構造を示す図である。
【図５】本発明による全体周波数帯域を使用するフレーム構造を示す図である。
【図６】本発明による一部周波数帯域を使用するフレーム構造を示す図である。
【図７】本発明による異種通信システム間の相互に異なるサイズの周波数帯域を使用するフレーム構造を示す図である。
【図８】本発明による第２のシステムに属する移動局が、新たなフレームを用いてデータバーストを受信するまで遂行する手順を示すフローチャートである。
【発明を実施するための形態】
【００１５】
以下、本発明の望ましい実施形態を添付の図面を参照して詳細に説明する。
【００１６】
下記に、本発明に関連した公知の機能または構成に関する具体的な説明が本発明の要旨を不明にすると判断された場合に、その詳細な説明を省略する。また、次の説明における多様な特定の定義は、本発明の一般的な理解を助けるために提供されるだけであって、上記のような定義なしにも本発明が実現できることは当該技術分野における通常の知識を有する者には明らかである。
【００１７】
本発明は、異種通信システム間のサービスインターワーキングのためのシステム及び方法を提供する。ここで、例えば、異種通信システムは、ＷｉＢｒｏ通信システム及びＷｉＢｒｏ進化通信システムであることができる。ＷｉＢｒｏ進化通信システムは、ＷｉＢｒｏ通信システムと異なるサブチャンネル構造又は信号フォーマットを有する。しかしながら、ＷｉＢｒｏ進化通信システムはＷｉＢｒｏ通信システムに基づいているため、ＷｉＢｒｏ通信システムに提供される制御情報を復号することができる。
【００１８】
本発明において、異種通信システム、すなわち第１のシステムと第２のシステムとの間のサービスインターワーキングのために定義されなければならないフレーム構造が提示される。ここでは、第１のシステムは、ＷｉＢｒｏ通信システム、モバイルＷｉＭＡＸ(Worldwide  Interoperability for Microwave Access)通信システム、及びＷｉＭＡＸフォーラムモバイルシステムプロファイルリリース１.０に定義されるシステムのうちいずれか一つとなり得る。また、第２のシステムは、ＷｉＢｒｏ進化通信システム又はＩＥＥＥ８０２.１６ｍに基づいたシステムとなり得る。
【００１９】
図１は、本発明による異種通信システム間のサービスインターワーキングを支援するフレーム構造を論理的に示す。図１を参照すると、本発明に提示されたフレームは、第１のシステムと第２のシステムが周波数分割方法によって支援される構造を有する。このようなフレーム構造において、横軸は時間軸を意味し、縦軸は周波数軸を意味する。時間軸はシンボル区間によって定義され、縦軸はサブキャリア又はサブチャンネルによって定義される。サブチャンネルは、少なくとも一つのサブキャリアを含む。以下、任意のシンボル区間及び任意の周波数帯域によって占有される２次元空間は、“リソース”と呼ばれる。
【００２０】
図１は、第１及び第２のシステムで使用されるサブチャンネルが物理的に区分されることを示すが、サブチャンネルは、論理的に構成されることができる。物理的に構成されたサブチャンネルは隣接したサブキャリアで構成され、論理的に構成されたサブチャンネルは、隣接及び非隣接サブキャリアで構成されることができる。サブチャンネルの構成方法は、本発明の要旨から外れるため、その詳細な説明を省略する。
【００２１】
フレームは、第１及び第２のシステムで共通的に使用されるプリアンブル(preamble)１００と、第１及び第２のシステムに対して周波数分割されたダウンリンクサブフレーム１１０及びアップリンクサブフレーム１２０とを含む。ダウンリンク及びアップリンクサブフレーム１１０、１２０でそれぞれ第１及び第２のシステムに使用される周波数リソースの比率は、該当システムを使用する移動局の数または他の多様な要因によって、システム実現の初期に固定的に決定されるか、あるいはシステム動作中に可変的に決定されることができる。
【００２２】
図２は、本発明によるフレームにおけるデータバースト割り当ての指示方法を示す。図２を参照すると、第１及び第２のシステムは、同一のプリアンブル２００を使用する。したがって、第１のシステムに属する第１の移動局は、プリアンブル２００によって同期を獲得し、ダウンリンクサブフレーム２１０のフレーム制御ヘッダー(Frame  Control  Header：ＦＣＨ)２３０を復号することによって、サブチャンネル構成方式、ＭＡＰメッセージ変調方式、及び符号化方式がわかる。その結果、第１の移動局は、第１のシステムのＤＬ-ＭＡＰ２４０を復号し、それによって割り当てられたダウンリンクデータバースト領域２５０を認識するようになる。
【００２３】
その上、第２のシステムに属する第２の移動局も、プリアンブル２００によって同期を獲得し、その後にＦＣＨ２３０を復号化して第２のシステムで使用されるＮｅｗ  ＤＬ-ＭＡＰ/ＵＬ-ＭＡＰ２６０を復号する。特に、第２の移動局は、Ｎｅｗ  ＤＬ-ＭＡＰ２６０を復号し、それによって割り当てられたダウンリンクデータバースト領域２７０のリソースを認識し、ＵＬ-ＭＡＰ２６０を復号してアップリンクサブフレーム２２０で、割り当てられたアップリンクデータバースト領域２８０のリソースを認識する。第２の移動局は、ダウンリンクデータバースト領域２７０のデータバーストを復号し、アップリンクデータバースト領域２８０を通じて基地局にアップリンクデータバーストを送信する。
【００２４】
図３は、本発明の他の実施形態によるフレームにおけるデータバースト割り当ての指示方法を示す。図３を参照すると、ダウンリンクサブフレーム３１０は、時分割多重化(Time  Division  Multiplexing：ＴＤＭ)を用いて第１及び第２のシステムのためのリソースに分割され、アップリンクサブフレーム３２０は、周波数分割多重化(Frequency  Division  Multiplexing：ＦＤＭ)を用いて第１及び第２のシステムのためのリソースに分割される。これとは異なり、ダウンリンクサブフレーム３１０は、ＦＤＭによって第１及び第２のシステムのためのリソースに分けられ、アップリンクサブフレーム３２０は、ＴＤＭによって第１及び第２のシステムのためのリソースに分けられることもできる。
【００２５】
第２のシステムに属する移動局は、プリアンブル３００によって同期を獲得した後に、ダウンリンクサブフレーム３１０のＦＣＨ３３０及び第１のシステムのＤＬ-ＭＡＰ３４０を復号し、それによって第２のシステムの制御情報であるＮｅｗ  ＤＬ-ＭＡＰ/ＵＬ-ＭＡＰ領域３５０を認識する。これとは異なり、Ｎｅｗ  ＤＬ-ＭＡＰ/ＵＬ-ＭＡＰ領域３５０が所定の位置に存在する場合、第２のシステムに属する移動局は、ＦＣＨ３３０及びＤＬ-ＭＡＰ３４０のメッセージを復号せずに、Ｎｅｗ  ＤＬ-ＭＡＰ/ＵＬ-ＭＡＰ領域３５０を認識することができる。しかしながら、Ｎｅｗ  ＤＬ-ＭＡＰ/ＵＬ-ＭＡＰ領域３５０が所定の位置に存在しない場合には、第２のシステムに属する移動局は、ＤＬ-ＭＡＰ３４０のメッセージを復号せずにＦＣＨ３３０のみを復号し、その後にＮｅｗ  ＤＬ/ＵＬ-ＭＡＰメッセージを復号する。
【００２６】
移動局は、Ｎｅｗ  ＤＬ-ＭＡＰ/ＵＬ-ＭＡＰ領域３５０を通じて受信されたＮｅｗ  ＤＬ-ＭＡＰメッセージ及びＵＬ-ＭＡＰメッセージの復号によって、ダウンリンクデータバースト領域で割り当てられたリソース３６０と、アップリンクデータバースト領域で割り当てられたリソース３７０とを認識する。ＦＣＨ３３０は、第２のシステム領域が存在するか否かを示す情報を含む。
【００２７】
図４Ａ及び図４Ｂは、本発明による短い待ち時間(latency)信号の送受信のためのフレーム構造を示す。図４Ａ及び図４Ｂの説明に先立って、短い待ち時間が移動通信システムにおける高速のデータ送信に要求されることに注意しなければならない。通常は、ハイブリッド自動再送要求(Hybrid  Automatic  Repeat  reQuest：ＨＡＲＱ)を用いるＶｏＩＰ(Voice over Internet Protocol)パケットでは、短い待ち時間を満たす送受信が要求される。
【００２８】
図４Ａ及び図４Ｂを参照すると、フレーム４００は、第１のシステムに対する領域４１０と第２のシステムに対する領域４２０に分けられる。まず、図４Ａは、ダウンリンクデータバースト伝送を説明するためのフレーム構造を示す。図４Ａにおいて、ダウンリンクサブフレームの第１のシステム領域４１０は、３個の割り当て領域を含む。そして、アップリンクサブフレームの第２のシステム領域４２０は、第２のシステムのダウンリンクサブフレームの全体時間区間を分割した３個の時間区間に対応する３個の領域を含む。第２のシステムでデータバースト伝送領域の位置情報及びアップリンクサブフレームで第２のシステムに対するフィードバック領域の位置情報は、上記割り当て領域に示される。また、アップリンクサブフレームで、第２のシステム領域４２０は、２個の時分割されたデータバースト領域を占める。
【００２９】
短い待ち時間を満たす送受信のために、フレームは、複数のインターレース(interlace)構造で動作されるべきである。ここで、インターレース構造は、データ送信(再送信）がこれに対するフィードバック受信とインターレースされ、あるいはデータ受信(再受信）がこれに対するフィードバック送信(再送信）とインターレースされる構造を意味する。
【００３０】
アップリンクデータ送信のインターレース１を説明すると、基地局は、第１の割り当て領域とデータバースト領域１(データバースト１)を通じて割り当て情報及びデータバーストを送信し、このアップリンクサブフレームの第１のデータバースト領域のフィードバック領域を通じてフィードバックを受信する。
【００３１】
図４Ｂは、アップリンクデータバースト伝送を説明するためのフレーム構造を示す。インターレース１において、移動局は、(Ｌ-１)番目のダウンリンクサブフレームで割り当て情報を受信し、(Ｌ-１)番目のアップリンクサブフレームでデータバーストを送信する。その後、移動局は、次のフレームで基地局からフィードバック信号を受信する。このフィードバック信号は、基地局が移動局から信号を正常に受信したか否かを示す肯定応答(ＡＣＫ)又は否定応答(ＮＡＣＫ)信号を意味する。
【００３２】
図５は、本発明による全体周波数帯域を用いるフレーム構造を示す。図５を参照すると、ＩＥＥＥ８０２.１６規格で定義された一部使用のサブチャンネル構造において、全体周波数帯域は６個のサブチャンネルに分割されることができる。これらサブチャンネルの中で、３個のサブチャンネルは第１のシステムで使用され、残りの３個のサブチャンネルは第２のシステムで使用される。第１及び第２のシステムで各々使用されるサブチャンネルの数は、システム動作中に可変できる。すなわち、第２のシステムを用いる移動局の数が増加すると、第１のシステムで使用されるサブチャンネルは、第２のシステムで使用されることができる。
【００３３】
図５では、第１及び第２のシステムに割り当てられた６個のサブチャンネルがすべて使用されると仮定する。ダウンリンクサブフレームにおいて、割り当てられたサブチャンネルは、ＦＣＨ内のサブチャンネルの使用のためにビットマップを用いて指示されることができる。アップリンクサブフレームにおいて、割り当てられたサブチャンネルは、ＤＬ-ＭＡＰメッセージ及びＵＬ-ＭＡＰメッセージ内のビットマップ情報を用いて指示されることができる。
【００３４】
図６は、本発明による一部周波数帯域を使用するフレーム構造を示す。図６を参照すると、第１のシステムのデータバースト割り当て領域６５０は、ＤＬ-ＭＡＰ領域６４０を通じて指示され、データバースト割り当て領域６７０は、Ｎｅｗ  ＤＬ/ＵＬ-ＭＡＰ領域６６０を通じて指示される。図６は、データバースト割り当て領域指示及びデータバースト割り当てが全体周波数帯域を使用せずに遂行されることを示す。サブチャンネルの使用に対するビットマップがＦＣＨで“１１００００”に設定された場合に、移動局は、全体周波数帯域でなく、一部周波数帯域が使用されることを認識することができる。
【００３５】
図７は、本発明による異種通信システム間の異なるサイズの周波数帯域を使用するフレーム構造を示す。図７を参照すると、第１のシステムは一部周波数帯域を使用し、第２のシステムは全体周波数帯域を使用する。例えば、第１のシステムは、周波数再使用係数(frequency  reuse  factor)３で管理され、第２のシステムは周波数再使用係数１で管理されることができる。
【００３６】
図８は、第２のシステムに属する移動局が新たなフレームを用いてデータバーストを受信するまで遂行する手順を示す。図８を参照すると、移動局は、ステップ８０２で、第１のシステム及び第２のシステムで共通に使用されるプリアンブルによって同期を獲得し、ステップ８０４に進行する。ステップ８０４で、移動局は、第１のシステムのダウンリンクサブフレーム内に存在するＦＣＨを復号し、ステップ８０６に進行する。ステップ８０６で、移動局は、ＦＣＨに含まれた情報又はＦＣＨ復号以後に復号されたＤＬ-ＭＡＰを通じて第２のシステムの放送情報領域、すなわちＤＬ-ＭＡＰ及びＵＬ-ＭＡＰを認識し、ステップ８０８に進行する。ステップ８０８で、移動局は、第２のシステムのＤＬ-ＭＡＰ及びＵＬ-ＭＡＰを復号し、ステップ８１０に進行する。ステップ８１０で、移動局は、ＤＬ-ＭＡＰ又はＵＬ-ＭＡＰによって指示されるデータバースト領域でデータバーストを受信する。
【００３７】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【図１】
0005331220.tif 000002
【図２】
0005331220.tif 000003
【図３】
0005331220.tif 000004
【図４Ａ】
0005331220.tif 000005
【図４Ｂ】
0005331220.tif 000006
【図５】
0005331220.tif 000007
【図６】
0005331220.tif 000008
【図７】
0005331220.tif 000009
【図８】
0005331220.tif 000010